(57)【要約】【課題】装置の小型化を可能とするとともにドラムスクリーンへ落下する被処理液の流量を緩和して被処理液を適切に処理することを可能とするパンチングメタルドラムスクリーン装置を提供する。【解決手段】中心軸が略水平方向に配置され且つ壁面がパンチングメタルで形成された円筒形の胴部と、胴部の一端側を閉塞する第一閉塞板と、第一閉塞板を介して被処理液を供給する被処理液導入管と、被処理液導入管に接続され、被処理液を受ける供給部と、胴部の他端側を閉塞する第二閉塞板と、中心軸を中心として胴部を回転可能に支持する支持体と、胴部を回転させる駆動手段とを有する。供給部は、被処理液の流れを胴部の径方向外方に変えるとともに分散し、第一閉塞板の近傍を少なくとも含む壁面に、被処理液を落下させる。【選択図】図１
2019202302.tif 000002
【特許請求の範囲】
【請求項１】
中心軸が略水平方向に配置され且つ壁面がパンチングメタルで形成された円筒形の胴部と、
前記中心軸の近傍を除き前記胴部の一端側を閉塞する第一閉塞板と、
前記中心軸上に配置され、前記第一閉塞板を介して被処理液を供給する被処理液導入管と、
前記被処理液導入管に接続され、前記被処理液を受ける供給部と、
前記胴部の他端側を閉塞する第二閉塞板と、
前記中心軸を中心として前記胴部を回転可能に支持する支持体と、
前記胴部を回転させる駆動手段と、を有し、
前記第二閉塞板の近傍を除き前記壁面には複数の孔が形成され、
前記第二閉塞板の近傍の前記壁面には前記孔より大きな複数の塊状物排出口が形成され、  
前記供給部は、略台形の案内板と前記略台形の底辺を除く辺に接続した変流板とを備え、前記変流板で前記被処理液の流れを前記胴部の径方向外方に変えるとともに、前記被処理液を前記案内板の上で分散し、前記第一閉塞板の近傍を少なくとも含む前記壁面に、前記底辺から前記分散した被処理液を落下させることを特徴とするパンチングメタルドラムスクリーン装置。
【請求項２】
前記被処理液は、繊維を含む汚泥であり、
前記供給部は、前記回転により上方へ移動する前記壁面に前記被処理液を落下させ、
前記駆動手段は、前記胴部の内部で前記繊維をロール状に成長させる回転速度で前記胴部を回転することを特徴とする請求項１に記載のパンチングメタルドラムスクリーン装置。
【請求項３】
前記被処理液は、凝集剤が混入された汚泥であり、
前記駆動手段は、前記胴部の内部で前記被処理液をロール状に成長させない回転速度で前記胴部を回転することを特徴とする請求項１に記載のパンチングメタルドラムスクリーン装置。
【請求項４】
前記塊状物排出口に通じる排出管に設けられて、前記塊状物排出口を通じて排出された前記被処理液の汚泥もしくは水分流量を検出する流量センサと、
前記被処理液導入管に設けられた流量調整手段と、
前記流量センサの検出値が所定値より大きい場合には、前記流量調整手段を制御して前記被処理液の供給量を減少させ、または前記駆動手段を制御して前記胴部の回転速度を増加させる制御装置と、
をさらに有することを特徴とする請求項１〜３のいずれか1項に記載のパンチングメタルドラムスクリーン装置。
【発明の詳細な説明】
【技術分野】
【０００１】
本発明は、パンチングメタルで形成されたドラムスクリーン装置に関する。
【背景技術】
【０００２】
し尿、浄化槽汚泥等の有機性廃水は、汚泥再生処理施設にて処理されている。汚泥再生処理施設では、有機性廃水の処理の効率化のために、有機性廃水の中から繊維分を分離する処理や汚泥濃縮の処理が行われている。
【０００３】
例えば、特許文献１、特許文献２に記載の従来技術では、ウェッジワイヤーやパンチングメタルで形成されたドラムスクリーンを備えた繊維除去装置で汚泥に含まれる繊維を分離している。
【０００４】
一方、特許文献３、及び特許文献４に記載の従来技術では、ウェッジワイヤーやパンチングメタルで形成されたドラムスクリーンを備えた汚泥濃縮装置で汚泥濃縮を行っている。
【先行技術文献】
【特許文献】
【０００５】
【特許文献１】特開平１０−１９２６１５号公報
【特許文献２】韓国特許第１０−０９０４２８３号公報
【特許文献３】特開２００７−３３０９２０号公報
【特許文献４】特開２００２−１７７７１２号公報
【発明の概要】
【発明が解決しようとする課題】
【０００６】
従来、多数の貫通孔が形成されたドラムスクリーンに被処理液を供給する際、ドラムスクリーンの外部に被処理液が漏れてドラムスクリーンの外部に配置された別の装置の汚染を回避するため、ドラムスクリーンの端部は避けて内部に被処理液を供給しており、このためドラムスクリーンの有効長を十分に活用できず、ドラムスクリーンが大型化する恐れがあった。また、被処理液は、被処理液を供給する管の開口と実質的に同一の寸法でドラムスクリーンの一箇所に集中して落下するため、ドラムスクリーンの貫通孔当たりの被処理液の流量が過剰になり、被処理液を適切に処理できない恐れがあった。
【０００７】
この発明は、上述した事情に鑑みてなされたものであって、ドラムスクリーンの有効長を最大限に活用して装置の小型化を可能とするとともに、ドラムスクリーンへ落下する被処理液の流量を緩和して被処理液を適切に処理することを可能とするパンチングメタルドラムスクリーン装置を提供する。
【課題を解決するための手段】
【０００８】
本発明のパンチングメタルドラムスクリーン装置は、中心軸が略水平方向に配置され且つ壁面がパンチングメタルで形成された円筒形の胴部と、前記中心軸の近傍を除き前記胴部の一端側を閉塞する第一閉塞板と、前記中心軸上に配置され、前記第一閉塞板を介して被処理液を供給する被処理液導入管と、前記被処理液導入管に接続され、前記被処理液を受ける供給部と、前記胴部の他端側を閉塞する第二閉塞板と、前記中心軸を中心として前記胴部を回転可能に支持する支持体と、前記胴部を回転させる駆動手段と、を有し、前記第二閉塞板の近傍を除き前記壁面には複数の孔が形成され、前記第二閉塞板の近傍の前記壁面には前記孔より大きな複数の塊状物排出口が形成され、前記供給部は、略台形の案内板と前記略台形の底辺を除く辺に接続した変流板とを備え、前記変流板で前記被処理液の流れを前記胴部の径方向外方に変えるとともに、前記被処理液を前記案内板の上で分散し、前記第一閉塞板の近傍を少なくとも含む前記壁面に、前記底辺から前記分散した被処理液を落下させることを特徴とする。
【０００９】
この構成によれば、胴部の端から被処理液の処理ができるので、パンチングメタルドラムスクリーン装置を小型化することができる。また、被処理液を供給部の変流板と案内板で分散してから胴部の壁面へ被処理液を落下させるので、被処理液と胴部壁面の接触面積を増加するとともに、各孔に対する被処理液の流量を緩和し、被処理液を適切に処理することができる。
【００１０】
上記パンチングメタルドラムスクリーン装置では、被処理液は、繊維を含む汚泥であり、供給部は、回転により上方へ移動する胴部の壁面に被処理液を落下させ、駆動手段は、胴部の内部で繊維をロール状に成長させる回転速度で胴部を回転する構成としてよい。
この構成によれば、パンチングメタルドラムスクリーン装置は自己洗浄するので、ドラムスクリーンの目詰まりを取り除くための清掃作業を定常的に実施する必要がなく、また、ブラシ等の洗浄装置を別途設置する必要もないため、製造コストやメンテナンスコストの観点で優れたパンチングメタルドラムスクリーン装置を提供することができる。
【００１１】
上記パンチングメタルドラムスクリーン装置では、被処理液は、凝集剤が混入された汚泥であり、駆動手段は、胴部の内部で被処理液をロール状に成長させない回転速度で胴部を回転する構成としてよい。
この構成によれば、被処理液と胴部の壁面との接触面積を大きくし、汚泥濃縮を効率良く行うことが可能となる。
また、上記パンチングメタルドラムスクリーン装置では、塊状物排出口に通じる排出管に被処理液の水分流量を検出する流量センサと、被処理液導入管に設けられた流量調整手段とを設け、流量センサの検出値が所定値より大きい場合には、流量調整手段を制御して被処理液の供給量を減少させ、または駆動手段を制御して胴部の回転速度を増加させる制御装置をさらに備える構成としてもよい。
この構成によれば、必要以上の被処理液が供給されている又は胴部の回転速度が遅すぎる場合に、制御装置により自動的に最適な被処理液の供給量または最適な胴部の回転速度に調整されるので、繊維除去や汚泥濃縮などの用途において、被処理液を適切に処理することができる。
【発明の効果】
【００１２】
本発明によれば、ドラムスクリーンの有効長を最大限に活用して装置の小型化を可能とするとともに、ドラムスクリーンへ落下する被処理液の流量を緩和して被処理液を適切に処理することを可能とするパンチングメタルドラムスクリーン装置を提供することが可能となる。
【図面の簡単な説明】
【００１３】
【図１】本発明のパンチングメタルドラムスクリーン装置を示す概略構成図である。
【図２】被処理液導入管の先端に接続した供給部を示す斜視図である。
【図３】図１のIII-III線断面から供給部を見た断面図である。
【図４】変形例のパンチングメタルドラムスクリーン装置を示す概略構成図である。
【発明を実施するための形態】
【００１４】
本発明の実施形態のパンチングメタルドラムスクリーン装置１００（以下、ドラムスクリーン装置１００という）について図１〜図３を参照して説明する。なお、ドラムスクリーン装置１００は、繊維除去装置または汚泥濃縮装置として使用することができる。
【００１５】
図１は、本発明のドラムスクリーン装置１００を示す概略構成図である。ドラムスクリーン装置１００は、両端に閉塞板２０Ａ及び２０Ｂを備えた円筒形の胴部１０と、胴部１０の内部へ被処理液Ａを導入する直管状の被処理液導入管１１と、被処理液導入管１１の先端に接続されて被処理液Ａの流れを変える供給部１７と、胴部１０を回転可能に支持する支持体１２（１２a及び１２b）と、胴部１０を一方向へ回転させる駆動手段１３を有する。
【００１６】
胴部１０は、壁面１４がパンチングメタルで形成された筒状体である。胴部１０の中心軸１０Ａ（仮想の軸）は略水平方向に配置されている。胴部１０は、図１に示したとおり、被処理液Ａが導入される被処理液導入部αと、被処理液Ａから水分の一部（汚泥もしくは水分Ｗ）が除去される分離液排出部βと、分離液排出部βで被処理液Ａから汚泥もしくは水分Ａが除去された塊状物Ｓを排出する塊状物排出部γの３つの部分に分けられる。すなわち、胴部１０の全長は、被処理液導入部α、分離液排出部β、及び塊状物排出部γの中心軸１０Ａに沿った長さの和となる。
なお、ドラムスクリーン装置１００を繊維除去装置として使用する場合には、被処理液Ａは繊維を含む汚泥であり、且つ、塊状物Ｓは繊維である。また、ドラムスクリーン装置１００を汚泥濃縮装置として使用する場合には、被処理液Ａは凝集剤が注入された汚泥であり、且つ、塊状物Ｓは濃縮汚泥となる。
胴部１０の回転に伴い、被処理液導入部αに導入された被処理液Ａは、被処理液導入部αから塊状物排出部γに向かって汚泥もしくは水分Ｗが次第に除去されながら進行する。
被処理液導入部α、すなわち胴部１０の一端側には、被処理液Ａを連続的に供給する被処理液導入管１１が、中心軸１０Ａ上に配置されている。被処理液導入管１１は、胴部１０の内部においては直線状の管であるが、胴部１０の外部においては適宜屈曲した管でありうる。
後述するとおり、胴部１０の内部の被処理液導入管１１の先端には供給部１７が設置されており、供給部１７は、中心軸１０Ａに沿って直進する被処理液Ａの流れを曲げ、胴部１０の径方向外方に導く。
被処理液導入部αの壁面１４には、パンチングにより多数の円形の孔１５が均等に配置されており、分離液排出部βと同様、胴部１０の回転に伴い、孔１５から胴部１０の外部かつ下方へ汚泥もしくは水分Ｗが排出される。孔１５の直径は、約１ｍｍとしてよい。このような小径の孔１５が形成されたパンチングメタルは、方形の孔が開くように編まれたウェッジワイヤーに比べ、被処理液Ａに含まれる夾雑物や繊維が絡み付きにくい。すなわち、孔１５の目詰まりが発生しにくい。
被処理液導入部αの端部には、中心軸１０Ａと同軸の円形の開口を備え、当該開口を除いて胴部１０の径方向を全て閉塞する閉塞板２０Ｂが配置されている。当該開口は、被処理液導入管１１を胴部１０の内部へ挿通するのに必要かつ十分な大きさであり、被処理液Ａが当該開口から胴部１０の外部へ流出しない程度の大きさである。
支持体１２aは、閉塞板２０Ｂと接続し、中心軸１０Ａと同軸の円筒状の部材である。当該円筒の内径は、被処理液導入管１１を胴部１０の内部へ挿通するのに必要かつ十分な大きさである。
【００１７】
分離液排出部βは、被処理液導入部αと塊状物排出部γの間に配置され、被処理液導入部αと同様に多数の孔１５が均等に配置されている。従って、胴部１０の回転に伴い、孔１５から胴部１０の外部かつ下方へ汚泥もしくは水分Ｗが排出される。
なお、分離液排出部１５及び被処理液導入部αの下方には、汚泥もしくは水分Ｗを受ける第１排出管１６が設けられている。
塊状物排出部γの端部には、胴部１０の径方向を全て閉塞する閉塞板２０Ａが配置されている。閉塞板２０Ａと上述の閉塞板２０Ｂにより、胴部１０の内部に供給された被処理液Ａが胴部１０の外部に配置された周辺機器に飛散することを回避できるので、周辺機器の汚染や腐食を防止することができる。
また、閉塞板２０Ａと分離液排出部βの間には、塊状物排出部γの壁面１４の周方向に、多数の方形（例えば、長方形）の排出口２２が均等に配置されている。従って、胴部１０の回転に伴い、排出口２２から胴部１０の外部かつ下方へ塊状物Ｓが排出される。排出口２２は、孔１５より大きな開口面積を有する。例えば、排出口２２の寸法を１２ｃｍ×１５ｃｍとしてよい。孔１５と同様、排出口２２もパンチングにより開孔されてよい。
排出口２２は胴部１０の周方向寸法を、より大きくすることが好ましい。周方向寸法を大きくすることで、ドラムスクリーン装置の長さをコンパクトにでき且つ多量の塊状物Ｓを一度に排出できる。
なお、塊状物排出部γの下方には、排出口２２の寸法より大きな開口寸法で塊状物Ｓを受ける第２排出管２３が設けられている。
支持体１２ｂは、閉塞板２０Ａと接続し、中心軸１０Ａと同軸の円柱状の部材である。
【００１８】
支持体１２（支持体１２a及び１２ｂ）は、これらを回転可能に支持する部材（図示略）で支持される。また、図１に示すように、支持体１２を回転させるモータ等の駆動手段１３が設けられている。駆動手段１３が支持体１２を回転させることで、支持体１２と一体に接続された胴部１０も回転する。
駆動手段１３から支持体１２への駆動伝達手段はチェーンとスプロケットなど既知の適当な手段を用いることができる。
【００１９】
では、図２及び図３を用いて、被処理液導入管１１に接続した供給部１７を詳述する。
図２に示すように、供給部１７は、略台形の案内板１９と、上記台形の上辺に接続した変流板１８Ａと、被処理液導入管１１に接続し、且つ、変流板１８Ａ及び案内板１９に接続した変流板１８Ｂと、変流板１８Ｂに対向し、且つ、変流板１８Ａ及び案内板１９に接続した変流板１８Ｃを有する。上記台形の上辺は、底辺よりも短く、底辺よりも中心軸１０Ａに近い位置に配置される。
変流板１８Ｂには、被処理液導入管１１から案内板１９上に被処理液Ａを導入するための開口が形成されているが、被処理液導入管１１は当該開口を貫通して変流板１８Ｂに接続してもよいし、被処理液導入管１１の端部である導入管開口部１１Ａを当該開口に接続してもよい。
変流板１８（１８Ａ、１８Ｂ、１８Ｃ）は、案内板１９と垂直に接続している。また、変流板１８の高さは、被処理液Ａが変流板１８を越えて流れることができない高さに設定されている。
変流板１８Ａは、中心軸１０Ａに略平行に配置される。変流板１８Ｂは、中心軸１０Ａに沿って被処理液導入管１１を流れる被処理液の流れ方向（イ）と逆方向に、中心軸１０Ａに垂直な方向から角度θ１だけ傾いて、略台形の案内板１９の右辺に接続している。変流板１８Ｃは、上記被処理液の流れ方向（イ）と同方向に、中心軸１０Ａに垂直な方向から角度θ２だけ傾いて、略台形の案内板１９の左辺に接続している。角度θ１と角度θ２は同じ角度でもよいし、異なる角度でもよい。被処理液の性状や流速に応じて、０°＜θ１≦６０°、０°＜θ２≦６０°で適宜設定される。
図３は、図１のIII-III線断面から供給部１７を見た断面図である。案内面１９は、胴部１０の中心軸１０Ａの鉛直方向かつ下方から、胴部１０の回転方向に角度θ３だけ傾いて配置される。角度θ３は、０°＜θ３≦６０°の範囲に設定される。また、図３において、胴部１０の径方向における供給部１７の中心軸１０Ａからの長さＬは、胴部１０の半径をｒとしたとき、１/２ｒ≦Ｌ≦４/５ｒの範囲に設定される。
ドラムスクリーン装置１００を繊維除去装置として使用する場合には、被処理液Ａが壁面１４に衝突して飛び散らない程度に緩やかに被処理液Ａを胴部１０内に導入できれば良いので、Ｌの寸法は短めに設定してよく、例えばＬ≒１/２ｒとしてよい。一方、ドラムスクリーン装置１００を汚泥濃縮装置として使用する場合には、凝集剤が混入されて汚泥フロックが大径化した被処理液Ａが上記衝突で破壊・細分化しないように、繊維除去装置として使用する場合よりもさらに緩やかに壁面１４へ被処理液Ａを供給する必要があることから、Ｌの寸法はできるだけ長めに設定する必要があり、３/４ｒ≦Ｌ≦４/５ｒとするのが望ましい。少なくとも、Ｌ≒３/４ｒであれば、汚泥濃縮装置として十分に機能することが可能である。もちろん、ドラムスクリーン装置１００を繊維除去装置として使用する場合においても、３/４ｒ≦Ｌ≦４/５ｒの範囲に設定してもよく、Ｌ≒３/４ｒとしてもよい。
ここで、図２及び図３を用いて、供給部１７における被処理液Ａの流れを説明する。
被処理液導入管１１の内部を流れた被処理液Ａは、導入管開口部１１Ａから方向（イ）に向かって放出される。放出された被処理液Ａは、供給部１７の変流板１８Ｃに衝突し、方向（イ）から大きく方向転換される。すなわち、放出された被処理液Ａの一部は、案内板１９上かつ変流板１８Ｃに沿って流れ、また、被処理液Ａの一部は変流板１８Ｃで跳ね返ることで案内板１９上かつ変流板１８Ｂに沿って流れ、さらに変流板１８Ｃで跳ね返った被処理液Ａの一部は、変流板１８Ａを越えて流れることはできず、案内板１９上かつ変流板１８Ｃと変流板１８Ｂの間を流れる。
言い換えれば、供給部１７は、略台形の案内板１９の底辺から流れ落ちる被処理液Ａの流量が、当該底辺のいずれの箇所でもほぼ均等になるよう分散して、壁面１４に向かって被処理液Ａを放出し、被処理液Ａを当該壁面上に落下させる。
例えば、供給部１７を設置せず、被処理液導入管１１の先端を下方へ９０°曲げて被処理液Ａを壁面１４へ放出する場合には、導入管開口部１１Ａと実質的に同じ面積で、壁面１４へ被処理液Ａが衝突するため、壁面１４のうち被処理液Ａが落下する箇所の各孔１５当たりの流量が過剰となり、被処理液Ａの繊維除去もしくは汚泥濃縮ができなくなるとともに汚泥もしくは水分Ｗを孔１５から適切に排出することができない恐れがある。しかしながら、供給部１７は、変流板１８で被処理液Ａの流れを変え且つ案内板１９上で被処理液Ａを分散するので、被処理液導入管１１の開口である導入管開口部１１Ａよりも大幅に広い面積で被処理液Ａを壁面１４に衝突させることができる。従って、規則的に配置された複数の孔１５の１つ当たりの被処理液Ａの流量を少なく、しかも各孔１５のそれぞれに対する流量を均一化することができるため、被処理液Ａの汚泥もしくは水分Ｗを孔１５から適切に排出することができる。
また、案内板１９上かつ変流板１８Ｂに沿って流れた被処理液Ａ、すなわち、方向（イ）と逆方向かつ下方に流れを変えた被処理液Ａは、被処理液導入部αにおける閉塞板２０Ｂと壁面１４の接続箇所近傍に落下するよう設計される。従って、孔１５が形成された胴部１０の最も端の部分から被処理液Ａの汚泥もしくは水分Ｗを排出できるので、胴部１０の有効長を十分に活用することが可能となる。
【００２０】
なお、ドラムスクリーン装置１００では、胴部１０を回転自在に支持する支持体１２（１２ａ、１２ｂ）を、胴部１０の両側に配置したが、強度上の問題がなければ、支持体１２を片側のみに設け、胴部１０を片持ちで支持しても良い。
（変形例）
本発明の変形例であるドラムスクリーン装置１０１について、図４を参照して説明する。ここでは、上述した図１のドラムスクリーン装置１００との相違点を中心に述べ、同様の部分についてはその説明を省略する。
図４のドラムスクリーン装置１０１は、図１の支持体１２ｂに代わり、胴部１０の他端側に、胴部１０を下方から回転自在に支持する支持体３０を配置している。支持体３０は、胴部１０の中心軸１０Ａと平行な軸を中心として回転するころ（ローラ部材）である。
図４では、駆動手段１３は支持体１２ａを回転させる構成としているが、駆動手段１３は支持体３０を回転させてもよい。
支持体３０は、閉塞板２０Ａと塊状物排出口２２との間に設置されるため、塊状物排出口２２から塊状物Ｓが排出される際に、塊状物Ｓが支持体３０に接触することがなく、支持体３０の腐食又は回転障害などのトラブルの発生を抑えることができる。なお、胴部１０の両端を複数の支持体３０のみで支持する構成としてもよい。
【００２１】
ドラムスクリーン装置１０１は、第２排出管２３に設置された流量センサ４１と、被処理液導入管１１に設置された流量調整手段４２と、流量センサ４１の検出信号を受信し、当該検出信号に応じて流量調整手段４２及び駆動手段１３を制御する制御装置４０を有する。
流量センサ４１は、第２排出管２３に排出された汚泥や水分の流量を検出し、当該流量に対応する検出信号を発信する。
流量調整手段４２は、例えば電動弁やポンプである。制御装置４０は、流量調整手段４２を制御して、被処理液Ａの供給量を増加または減少させることができる。
制御装置４０は、電動モータ等の駆動手段１３を制御して、胴部１０の回転速度（単位時間当たりの回転数）を増加または減少させることができる。
また、図４には、流量調整手段４２より下流かつ胴部１０の上流において、被処理液導入管１１に設置された添加装置５０が図示されている。添加装置５０は、被処理液導入管１１を介して被処理液Ａ中に凝集剤Ｇを連続的に注入する装置である。従って、ドラムスクリーン装置１０１を繊維除去装置として使用する場合、添加装置５０は不要である。すなわち、添加装置５０は、ドラムスクリーン装置１０１を汚泥濃縮装置として使用する場合に設置される。
【００２２】
では、図４の制御装置４０によるドラムスクリーン装置１０１の制御につき、ドラムスクリーン装置１０１を繊維除去装置として使用する場合と汚泥濃縮装置として使用する場合に分けて、説明する。
まず、ドラムスクリーン装置１０１を繊維除去装置として使用する場合について説明する。上述のとおり、この場合、図４の添加装置５０は設置されない。
作業員が、例えば電源スイッチを入れることで、ドラムスクリーン装置１０１を起動すると、制御装置４０は、駆動手段１３を制御して胴部１０を所定の回転速度で一定方向へ回転させるとともに、流量調整手段４２を制御して、所定の流量で被処理液Ａを被処理液導入管１１に流す。これにより、被処理液導入部αに配置された供給部１７から、被処理液Ａが胴部１０の内部へ供給される。
被処理液Ａは、被処理液導入部αから塊状物排出部γへ向かって流れてゆくが、その過程で、分離液排出部βにおいて被処理液Ａの大部分の汚泥（例えば、９５％以上の汚泥）が排出され、実質的に被処理液Ａに含まれる繊維のみが塊状物Ｓとして塊状物排出部γから排出される。
ただし、被処理液Ａの性状によっては、上記所定の流量、上記所定の回転速度では、塊状物排出部γから多量の汚泥が排出され、流量センサ４１の検出値が所定値より大きくなる場合がありうる。この場合は、被処理液導入管１１から必要以上の被処理液Ａが供給されているか又は回転速度が遅すぎるので、制御装置４０は、流量調整手段４２を制御して被処理液Ａの供給量を減少させ、または、胴部１０の回転速度を増加させる。
この際、制御装置４０は、被処理液Ａに含まれる繊維が胴部１０の長さ方向に円柱状（ロール状）に成長する回転速度の範囲で、適宜、回転速度を制御する。例えば、回転速度を線速度0.1ｍ/ｓ以上とするとよい。上記所定の回転速度も、当該範囲内である。
供給部１７が、回転する壁面１４のうち上方に向かって移動する壁面に向かって被処理液Ａを落下させ、かつ、胴部１０の回転速度を適切に設定することで、被処理液Ａに含まれる繊維を円柱状（ロール状）に成長させることができる。なお、回転する壁面１４のうち下方に向かって移動する壁面に向かって被処理液Ａを落下させた場合には、被処理液Ａに含まれる繊維をロール状に成長させることができない。
胴部１０の回転に伴い、ロール状の繊維が孔１５に絡まった繊維を絡め取って成長（巨大化）する。従って、ドラムスクリーン装置１０１の運転中、壁面１４の孔１５に目詰まりが発生することを防止できる。よって、胴部１０の自己洗浄（セルフクリーニング）がなされるので、ドラムスクリーン装置１０１の清掃作業を長期間定常的に行う必要がない。すなわち、ドラムスクリーン装置１０１はメンテナンスフリーであり、さらに製造コストやメンテナンスコストの観点で優れた装置といえる。
【００２３】
次に、ドラムスクリーン装置１０１を汚泥濃縮装置として使用する場合について説明する。
上述のとおり、この場合、図４の添加装置５０が設置され、被処理液Ａに凝集剤Ｇが注入される。
作業員が、例えば電源スイッチを入れることで、ドラムスクリーン装置１０１を起動すると、制御装置４０は、駆動手段１３を制御して胴部１０を所定の回転速度で一定方向へ回転させるとともに、流量調整手段４２を制御して、所定の流量で被処理液Ａを被処理液導入管１１に流す。また、作業員がドラムスクリーン装置１０１を起動すると、添加装置５０が起動し、被処理液導入管１１を流れる被処理液Ａに凝集剤Ｇが混入される。これにより、被処理液導入部αに配置された供給部１７から、凝集剤Ｇにより汚泥フロックが大径化した凝集汚泥、すなわち凝集剤Ｇが混入した被処理液Ａが胴部１０の内部へ供給される。
被処理液Ａは、被処理液導入部αから塊状物排出部γへ向かって流れてゆくが、その過程で、分離液排出部βにおいて被処理液Ａの水分が排出され、塊状物Ｓとして濃縮した凝集汚泥Ｓが塊状物排出部γから排出される。
ただし、被処理液Ａの性状によっては、上記所定の流量、上記所定の回転速度では、塊状物排出部γから設定以上の多量の水分が排出され、流量センサ４１の検出値が所定値より大きくなる場合がありうる。この場合は、被処理液導入管１１から必要以上の被処理液Ａが供給されているか又は回転速度が遅すぎるので、制御装置４０は、流量調整手段４２を制御して被処理液Ａの供給量を減少させ、または、胴部１０の回転速度を増加させる。
なお、ドラムスクリーン装置１０１を汚泥濃縮装置として使用する場合は、繊維除去装置として使用する場合と異なり、制御装置４０は、被処理液Ａが円柱状（ロール状）に成長しない回転速度の範囲で制御する。上記所定の回転速度も、当該範囲内である。汚泥濃縮の場合は、汚泥フロックが大径化した被処理液Ａの胴部１０への接触面積が大きい方が、効果的に処理を行うことができるからである。
【００２４】
以上のように、本発明の実施形態及び変形例のドラムスクリーン装置１００、１０１は、供給部１７によって、孔１５が形成された胴部１０の最も端の部分から被処理液Ａの汚泥もしくは水分Ｗを排出できる。従って、胴部１０の有効長を最大限に活用することが可能となる。
また、被処理液Ａを供給部１７で分散してから胴部１０の壁面１４へ被処理液Ａを落下させるので、各孔１５に対する被処理液Ａの流量を緩和し、被処理液Ａを適切に処理することができる。
【００２５】
なお、ドラムスクリーン装置１０１では、制御装置４０が被処理液Ａの供給量及び胴部１０の回転速度を制御できるようにしたが、制御装置４０を設置せず、流量センサ４１で得た検出値に基づき、作業員が手動で流量調整手段４２を操作して被処理液Ａの供給量を変更し、または作業員が手動で駆動手段１３を操作して胴部１０の回転速度を変更しても良い。また、流量センサ４１としては、例えば電磁式、超音波式など種々のセンサを使用することができる。また、ドラムスクリーン装置１０１では、被処理液導入管１１の道中に添加装置５０を設けているが、流量調整手段４２の前段の別途反応槽（図示無し）で汚泥フロックを大径化する凝集操作を行っても良い。
【００２６】
以上、本発明の実施形態および変形例について図面を参照して詳述したが、具体的な構成はこれらに限られるものではなく、本発明の要旨を逸脱しない範囲の設計変更等も含まれる。
【符号の説明】
【００２７】
１０  胴部
１０Ａ  中心軸
１１  被処理液導入管
１１Ａ  導入管開口部
１２ａ、１２ｂ  支持体
１３  駆動手段
１４  壁面
１５  孔
１６  第１排出管
１７  供給部
１８Ａ、１８Ｂ、１８Ｃ  変流板
１９  案内板
２０Ａ、２０Ｂ  閉塞版
２２  塊状物排出口
２３  第２排出管
３０  支持体（ローラ部材（ころ））
４０  制御装置
４１  流量センサ
４２  流量調整手段
５０  添加装置
１００  パンチングメタルドラムスクリーン装置
１０１  パンチングメタルドラムスクリーン装置
Ａ  被処理液
Ｇ  凝集剤
Ｓ  塊状物
Ｗ  汚泥もしくは水分
【図１】
2019202302.tif 000003
【図２】
2019202302.tif 000004
【図３】
2019202302.tif 000005
【図４】
2019202302.tif 000006